(57)【要約】【課題】電磁波ノイズの影響を低減しつつ、操作者に良好な操作感触を与えることができる照光機能付き接点シート及びこれを用いた入力装置を提供すること。【解決手段】一方の面に操作者の押圧操作に応じて移動する可動接点１０３が取り付けられたＥＬシート１０１と、導電性材料からなるシールド層１１３を有するシールドシート１０２とを具備し、当該シールドシート１０２を、ＥＬシート１０１に対して、上記可動接点１０３側の面から当該可動接点１０３の移動を妨げない位置に重ね合わせたことを特徴とする。【選択図】図１
2007234539.tif 000002
【特許請求の範囲】
【請求項１】
一方の面に操作者の押圧操作に応じて移動する可動接点が取り付けられたＥＬシートと、導電性材料からなるシールド層を有する絶縁性シートとを具備し、前記絶縁性シートを、前記可動接点側の面から当該可動接点の移動を妨げない位置に重ね合わせたことを特徴とする照光機能付き接点シート。
【請求項２】
前記絶縁性シートに開口部を形成し、当該開口部に前記可動接点を収容することを特徴とする請求項１記載の照光機能付き接点シート。
【請求項３】
前記ＥＬシートと前記絶縁性シートとを、当該ＥＬシートが有する粘着層を介して一体化したことを特徴とする請求項１又は請求項２記載の照光機能付き接点シート。
【請求項４】
前記可動接点を、前記ＥＬシートが有する粘着層により保持したことを特徴とする請求項１から請求項３のいずれかに記載の照光機能付き接点シート。
【請求項５】
前記可動接点を、操作者の押圧操作に応じて反転可能な膨出部を有する板ばねで構成したことを特徴とする請求項１から請求項４のいずれかに記載の照光機能付き接点シート。
【請求項６】
前記絶縁性シートのシールド層の一部を接地可能に露出させたことを特徴とする請求項１から請求項５のいずれかに記載の照光機能付き接点シート。
【請求項７】
請求項１から請求項６のいずれかに記載の照光機能付き接点シートと、前記可動接点と離接する固定接点を有する回路基板とを具備し、前記可動接点と前記固定接点によってスイッチを構成し、該スイッチ上を前記ＥＬシートで照光することを特徴とする入力装置。
【請求項８】
前記絶縁性シートのシールド層と前記回路基板の固定接点とが平面視オーバーラップするように前記照光機能付き接点シートを前記回路基板に重ね合わせたことを特徴とする請求項７記載の入力装置。
【請求項９】
前記固定接点を接地させたことを特徴とする請求項７又は請求項８記載の入力装置。
【発明の詳細な説明】
【技術分野】
【０００１】
本発明は、照光機能付き接点シートに関し、特に、面光源であるエレクトロルミネッセンス（ＥＬ:Electro  luminescence）シートを用いた照光機能付き接点シート及びこれを用いた入力装置に関する。
【背景技術】
【０００２】
従来、キー操作部の裏面側に面光源であるＥＬシートを配設し、各キー操作部を暗所で一様に明るく照明できるようにした操作パネルが提案されている（例えば、特許文献１参照）。かかる操作パネルにおいては、操作者の操作に応じて弾性変形すると共に、元の状態に弾性復帰する可動接点部の上方にＥＬシートを積層することで、操作者に良好な操作感触（クリック感触）を与えている。
【０００３】
一般に、このような操作パネルにおいては、図８に示すように、ＥＬシート８０１の下方に弾性変形可能な可動接点８０２が配設され、この可動接点８０２の下方領域に固定接点８０３（コモン接点８０３ａ、中央接点８０３ｂ）が配設されている。また、ＥＬシート８０１と固定接点８０３を有する回路基板との間には、可動接点８０２の可動範囲を確保すべく、ＰＥＴ(ポリエチレンテレフタレート)等からなるスペーサ８０４、並びに、これを回路基板に固着させるための粘着層８０５からなる空間形成シート８０６が配設されている。
【０００４】
ＥＬシート８０１においては、ＰＥＴ等からなるフレキシブルで透明なフィルム基材８０７の下方にＩＴＯ（Indium Tin Oxide）等からなる上部電極８０８が設けられている。なお、この上部電極８０８は接地されている。この上部電極８０８の下方に蛍光層８０９及び誘電層８１０が設けられ、この誘電層８１０の下方にカーボン等からなる下部電極８１１が設けられている。ＥＬシート８０１は、これらの上部電極８０８及び下部電極８１１を介して蛍光層８０９に含まれる蛍光体に交流電圧を印加することにより発光する。
【０００５】
また、下部電極８１１の下方には、上述の交流電圧に応じた電磁波ノイズの影響を低減すべく、絶縁層８１２、シールド層８１３及び絶縁層８１４が設けられている。なお、このシールド層８１３は接地されている。そして、この絶縁層８１４の下方に粘着層８１５が設けられている。この粘着層８１５によって可動接点８０２の頂部が保持されると共に、ＥＬシート８０１自体がスペーサ８０４に固着される。
【特許文献１】特開平１０−１４４１７２号公報
【発明の開示】
【発明が解決しようとする課題】
【０００６】
しかしながら、上述のような従来の操作パネルにおいては、ＥＬシート８０１に電磁波ノイズをシールドするシールド層８１３を設けているため、可動接点８０２上に配設されるＥＬシート８０１が厚くなり、操作者が良好な操作感触（クリック感触）を得ながらキー操作を行うことができないという問題がある。
【０００７】
本発明はかかる問題点に鑑みてなされたものであり、電磁波ノイズの影響を低減しつつ、操作者に良好な操作感触を与えることができる照光機能付き接点シート及びこれを用いた入力装置を提供することを目的とする。
【課題を解決するための手段】
【０００８】
本発明の照光機能付き接点シートは、一方の面に操作者の押圧操作に応じて移動する可動接点が取り付けられたＥＬシートと、導電性材料からなるシールド層を有する絶縁性シートとを具備し、前記絶縁性シートを、前記可動接点側の面から当該可動接点の移動を妨げない位置に重ね合わせたことを特徴とする。
【０００９】
この構成によれば、ＥＬシートの発光に伴って生ずる電磁波ノイズの外部への影響を低減するシールド層をＥＬシートに重ね合わされる絶縁性シートに設けたことから、当該電磁波ノイズの外部への影響を低減するシールド層をＥＬシート内に設ける必要がなくなる。このため、ＥＬシートを薄く構成することができるので、電磁波ノイズの影響を低減しつつ、操作者に良好な操作感触を与えることが可能となる。なお、絶縁性シートは、可動接点側の移動を妨げない位置に配置されているので、操作者の押圧操作の操作感触に影響を与えることはない。
【００１０】
例えば、上記照光機能付き接点シートにおいて、前記絶縁性シートに開口部を形成し、当該開口部に前記可動接点を収容することが好ましい。この場合には、可動接点が絶縁性シートに形成された開口部に収容されるため、操作者の押圧操作に応じた可動接点の移動を妨げることなく、絶縁性シートをＥＬシートに重ね合わせることが可能となる。特に、絶縁性シートにおいては、シールド層に、可動接点の移動範囲を確保するスペーサの一部の役割を持たせることができるので、絶縁性シートの厚さを薄く構成することができ、照光機能付き接点シートの全体の厚さを抑えることが可能となる。
【００１１】
また、上記照光機能付き接点シートにおいては、前記ＥＬシートと前記絶縁性シートとを、当該ＥＬシートが有する粘着層を介して一体化することが好ましい。この場合には、ＥＬシートと絶縁性シートとを一体的に取り扱うことができ、例えば、当該照光機能付き接点シートを入力装置に組み込む際の作業性を向上することが可能となる。
【００１２】
さらに、上記照光機能付き接点シートにおいては、前記可動接点を、前記ＥＬシートが有する粘着層により保持するようにしても良い。この場合には、ＥＬシートに可動接点を取り付ける構成を別途用意する必要がなくなるため、安価にＥＬシートに可動接点を取り付けることが可能となる。
【００１３】
さらに、上記照光機能付き接点シートにおいては、前記可動接点を、操作者の押圧操作に応じて反転可能な膨出部を有する板ばねで構成するようにしても良い。この場合には、押圧操作に応じて板ばねが反転する一方、押圧操作が解除された場合に元の状態に復帰する構成にできるため、操作者に対して良好な操作感触を与えることが可能となる。特に、金属製の板ばねを用いた場合には、可動接点の長寿命化を図ることが可能となる。
【００１４】
なお、上記照光機能付き接点シートにおいては、前記絶縁性シートのシールド層の一部を接地可能に露出させることが好ましい。このようにシールド層の一部を露出させて接地することにより、例えば、静電誘導によるノイズ発生を防止することができるので、ＥＬシートの発光に伴う電磁波ノイズの影響をより効果的に低減することが可能となる。
【００１５】
本発明の入力装置は、請求項１から請求項６のいずれかに記載の照光機能付き接点シートと、前記可動接点と離接する固定接点を有する回路基板とを具備し、前記可動接点と前記固定接点によってスイッチを構成し、該スイッチ上を前記ＥＬシートで照光することを特徴とする。
【００１６】
この構成によれば、請求項１から請求項６のいずれかに記載の照光機能付き接点シートで得られる効果を、当該入力装置においても得ることが可能となる。すなわち、電磁波ノイズの影響を低減しつつ、操作者に良好な操作感触を与えることができる入力装置を提供することが可能となる。
【００１７】
上記入力装置においては、前記絶縁性シートのシールド層と前記回路基板の固定接点とが平面視オーバーラップするように前記照光機能付き接点シートを前記回路基板に重ね合わせることが好ましい。この場合には、シールド層と固定接点とがオーバーラップすることから、電磁波ノイズが回路基板に影響を与える範囲が限定されるので、電磁波ノイズの影響をより効果的に低減することが可能となる。
【００１８】
特に、上記入力装置においては、前記固定接点を接地させることが好ましい。この場合には、シールド層では影響を低減し難い電磁波ノイズの影響、例えば、絶縁性シートの開口部を介して回路基板に与えられる電磁波ノイズの影響を低減することが可能となる。
【発明の効果】
【００１９】
本発明によれば、電磁波ノイズの影響を低減しつつ、操作者に良好な操作感触を与えることができる照光機能付き接点シート及びこれを用いた入力装置を提供することが可能となる。
【発明を実施するための最良の形態】
【００２０】
以下、本発明の一実施の形態について添付図面を参照して詳細に説明する。
【００２１】
図１は、本発明の一実施の形態に係る照光機能付き接点シート（以下、単に「接点シート」という）１００の構成を説明するための断面図である。なお、図１においては、説明の便宜上、本実施の形態に係る接点シート１００が入力装置に適用された場合の構成要素（後述する固定接点等）についても示している。
【００２２】
本実施の形態に係る接点シート１００は、図１に示すように、ＥＬシート１０１と、後述するように電磁波ノイズの低減を目的とするシート（以下、「シールドシート」という）１０２とが重ねられて構成される。後述するように、シールドシート１０２には、複数の開口部１０２ａが形成されており、これらは通気溝を介して連結されている。なお、シールドシート１０２は、絶縁性シートとして機能するものである。
【００２３】
ＥＬシート１０１の下面には、操作者の押圧操作に応じて図１に示す上下方向に移動する可動接点１０３が取り付けられている。例えば、可動接点１０３は、金属製の板ばねで構成される。図１に示すように、可動接点１０３を構成する板ばねは、例えば円椀ドーム状や、側面が切り欠かれた細長ドーム状に形成され操作者の押圧操作に応じて反転可能な膨出部を有する。このように可動接点１０３を板ばねで構成することにより、操作者の押圧操作に応じて板ばねが反転する一方、押圧操作が解除された場合に元の状態に復帰する構成とできるため、操作者に対して良好な操作感触を与えることが可能となる。特に、金属製の板ばねを用いた場合には、可動接点１０３の長寿命化を図ることが可能となる。
【００２４】
なお、可動接点１０３は、その膨出部の上端部でＥＬシート１０１の下面に取り付けられている。具体的には、ＥＬシート１０１の粘着層１１２で可動接点１０３が保持されている。これにより、ＥＬシート１０１に可動接点１０３を取り付ける構成を別途用意する必要がなくなるため、安価にＥＬシート１０１に可動接点１０３を取り付けることが可能となる。
【００２５】
なお、可動接点１０３における図１に示す下面側には、複数の突起部１０４が設けられている。このように可動接点１０３の複数の突起部１０４を設けることでゴミなどの異物を接点部に挟み込んだとしても押圧時の板ばねの変形によって他の突起部１０４が後述する固定接点と接触し、接触不良を防止し確実なスイッチ切換えが可能となる。
【００２６】
ＥＬシート１０１は、このような構成を有する可動接点１０３が開口部１０２ａに収容されるようにシールドシート１０２に重ね合わせられる。可動接点１０３が開口部１０２ａに収容されるため、操作者の押圧操作に応じた可動接点１０３の移動を妨げることなく、シールドシート１０２をＥＬシート１０１に重ね合わせることが可能となる。
【００２７】
本実施の形態に係る接点シート１００は、入力装置が有する回路基板に取り付けられる。この回路基板に取り付けられた状態において、シールドシート１０２の開口部１０２ａに対応する当該回路基板上の位置には固定接点１０５が設けられている。固定接点１０５は、常時、可動接点１０３の端面と接触しているコモン接点１０５ａと、可動接点１０３の突起部１０４と接触する中央接点１０５ｂとから構成される。中央接点１０５ｂは、操作者の押圧操作に応じて可動接点１０３が押し下げられた場合に当該可動接点１０３の突起部１０４と接触する。なお、本実施の形態においては、固定接点１０５のうち、コモン接点１０５ａ（図１においては、左方側のコモン接点１０５ａ）を接地させている。
【００２８】
また、本実施の形態に係る接点シート１００は、図１に示すように、シールドシート１０２のシールド層１１３と、入力装置の回路基板の固定接点１０５（コモン接点１０５ａ）とが平面視オーバーラップするように当該回路基板に重ね合わせられる。この場合には、シールド層１１３と固定接点１０５とがオーバーラップすることから、電磁波ノイズが当該回路基板に影響を与える範囲が限定されることとなる。
【００２９】
ＥＬシート１０１においては、ＰＥＴ等からなるフレキシブルで透明なフィルム基材１０６の下方にＩＴＯ（Indium Tin Oxide）等からなる上部電極１０７が設けられている。なお、この上部電極１０７は接地されている。この上部電極１０７の下方に蛍光層１０８及び誘電層１０９が設けられ、この誘電層１０９の下方にカーボン等からなる下部電極１１０が設けられている。ＥＬシート１０１は、これらの上部電極１０７及び下部電極１１０を介して蛍光層１０８に含まれる蛍光体に交流電圧を印加することにより発光する。これらの構成は、従来のＥＬシートと同様である。
【００３０】
また、下部電極１１０の下方には絶縁層１１１が設けられ、この絶縁層１１１の下方に粘着層１１２が設けられている。この点、本実施の形態に係る接点シート１００のＥＬシート１０１においては、下部電極１１０の下方の構成において、シールド電極及びこのシールド電極に積層された一方の絶縁層が省略されている点で従来のＥＬシートと相違する。
【００３１】
なお、本実施の形態に係る接点シート１００において、ＥＬシート１０１とシールドシート１０２とは、粘着層１１２を介して一体化される。これによりＥＬシート１０１とシールドシート１０２とを一体的に取り扱うことができ、例えば、本接点シート１００を入力装置に組み込む際の作業性が向上される。
【００３２】
一方、シールドシート１０２においては、ＥＬシート１０１の発光の際に印加される交流電圧に応じた電磁波ノイズの影響を低減するシールド層１１３が設けられ、このシールド層１１３の下方に、ＰＥＴ等からなる絶縁性のスペーサ１１４、並びに、これを回路基板に固着させるための粘着層１１５が設けられている。このようにシールドシート１０２は、シールド層１１３を有する点で、従来の構成と同様にＥＬシート１０１に重ねられる空間形成シートと相違する。
【００３３】
このシールド層１１３は、導電性を有する材料で構成される。本実施の形態に係る接点シート１００においては、シールド層１１３を構成する材料として、アルミニウムが用いられている。しかし、シールド層１１３を構成する材料としては、これに限定されるものではなく、導電性を有することを条件として適宜変更することが可能である。なお、このシールド層１１３の一部は入力装置として使用する際に接地可能に露出されている。
【００３４】
なお、本実施の形態に係る接点シート１００においては、シールド層１１３に、可動接点１０３の移動範囲を確保するスペーサの一部の役割を持たせている。このため、本来、可動接点１０３の移動範囲を確保するためのスペーサ１１４の厚さを薄くできる。この結果、シールドシート１０２の厚さを薄く構成することができ、接点シート１００の全体の厚さを抑えることが可能となる。
【００３５】
このように本実施の形態に係る接点シート１００は、従来、ＥＬシート１０１内に設けられていたシールド層の機能を、ＥＬシート１０１に重ねられるシールドシート１０２に持たせることで可動接点１０３上のＥＬシート１０１の厚みを薄くし、操作者に良好な操作感触を与えるものである。特に、シールド層１１３を接地させることから、例えば、静電誘導によるノイズ発生を防止することができるので、ＥＬシート１０１の発光に伴う電磁波ノイズの影響をより効果的に低減することが可能となる。
【００３６】
なお、本実施の形態に係る接点シート１００においては、後述するように、シールド層１１３は、シールドシート１０２と同一の形状を有するため、開口部１０２ａに対応する位置にはシールド層１１３が設けられていない。このため、この開口部１０２ａの位置においては、開口部１０２ａ以外の位置に比べて交流電圧に応じた電磁波ノイズの影響を受け易い。このため、本実施の形態に係る接点シート１００においては、固定接点１０５のいずれかを接地させ、電磁波ノイズの影響を低減している。
【００３７】
以下、本実施の形態に係る接点シート１００が有するＥＬシート１０１及びシールドシート１０２の構成について図２及び図３を用いて説明する。図２は、本実施の形態に係る接点シート１００が有するＥＬシート１０１の上面図であり、図３は、シールドシート１０２の上面図である。
【００３８】
本実施の形態に係る接点シート１０１が有するＥＬシート１０１は、図２に示すように、長方形状を有する操作面部２０１を有すると共に、同図に示す下端部中央にＥＬシート１０１への電源供給を行うための端子部２０２を有する。操作面部２０１においては、複数の操作キー部２０３が形成されている。操作キー部２０３は、シールドシート１０２の開口部１０２ａに対応する位置に形成されている。なお、板ばね１０３は、これらの操作キー部２０３の裏面側に保持されている。
【００３９】
例えば、本接点シート１０１が携帯電話の操作部に適用される場合には、操作キー部２０３は、ファンクションキーや数字キーなどの操作キーに対応する位置に形成されることとなる。なお、本実施の形態に係る接点シート１００においては、ＥＬシート１０１の全面が発光する。しかし、ＥＬシート１０１の発光形態についてはこれに限定されず、選択された操作キー２０３の位置に応じて部分的にＥＬシート１０１を発光させることも可能である。また、いずれかの操作キー部２０３が選択された場合にＥＬシート１０１を発光させるようにすることも可能である。
【００４０】
また、本実施の形態に係る接点シート１００が有するシールドシート１０２は、図３に示すように、ＥＬシート１０１の操作面部２０１と同様の長方形状を有している。シールドシート１０２には、ＥＬシート１０１の操作キー部２０３に対応する位置に複数の開口部１０２ａが形成されている。図３においては、３つの開口部１０２ａが横並びで形成された場合について示している。
【００４１】
各開口部１０２ａは、左右に隣接する開口部１０２と通気溝３０１により連結されている。通気溝３０１は、操作キー部２０３が押圧操作された場合に開口部１０２ａ内の空気を他の開口部１０２ａに退避させるために設けられている。このように通気溝３０１を設け、開口部１０２ａ間で可動接点１０３を構成する板ばねが反転した際に押し出された内部の空気を退避させることで、操作者における良好な押圧操作を実現すると共に、外部からの塵埃の進入を防止している。
【００４２】
このようなＥＬシート１０１とシールドシート１０２とを重ね合わせて本実施の形態に係る接点シート１００が構成される。図４は、本実施の形態に係る接点シート１００の上面図（同図（ａ））及び下面図（同図（ｂ））である。なお、図４（ａ）に示すように、接点シート１００の上面の構成は、図２に示すＥＬシート１０１の上面の構成と同様であるため、その説明を省略する。
【００４３】
図４（ｂ）に示すように、ＥＬシート１０１とシールドシート１０２とを重ね合わせた場合、接点シート１００においては、端子部２０２が同図に示す下方側に突出した状態とされる。また、シールドシート１０２の開口部１０２ａに、ＥＬシート１０１の下面に保持される可動接点１０３が収容された状態となっている。
【００４４】
次に、本実施の形態に係る接点シート１００を適用した入力装置の構成について図５を用いて説明する。図５は、本実施の形態に係る接点シート１００を適用した入力装置の構成を説明するための断面図である。例えば、図５に示す入力装置は、携帯電話やテレビのリモートコントローラなどの操作部に用いられる。
【００４５】
図５に示すように、本実施の形態に係る接点シート１００は、入力装置のケース５０１内に配設された回路基板５０２に貼り付けられる。具体的には、接点シート１００は、シールドシート１０２の粘着層１１５によって、回路基板５０２に貼り付けられる。ケース５０１の表面には、操作者の操作入力を受け付ける操作キー５０３が設けられている。この操作キー５０３は、ＥＬシート１０１の操作キー部２０３に対応する位置に設けられている。この操作キー５０３の下端部は、回路基板５０２側に突出した形状を有しており、その端部が操作キー部２０３に到達している。操作者により操作キー５０３が押圧操作を受けると、これに応じて操作キー部２０３が押し下げられる。これにより、可動接点１０３が反転し中央接点１０５ｂに接触する位置まで押し下げられると、スイッチがオンに切り替わり外部へ信号が出力される。また、通電されたＥＬシート１０１が発光することにより可動接点１０３上の操作キー５０３が照光されるように構成されている。
【００４６】
なお、図５に示す接点シート１００においては、シールドシート１０２のシールド層１１３を接地すべく、シールド層１１３と、回路基板５０２上のグラウンドパターン５０４とを端子５０５により接続した場合について示している。なお、シールド層１１３を接地する構成としては、これに限定されるものではなく適宜変更が可能である。例えば、接地されているＥＬシート１０１の上部電極１０７とシールド層１１３とを接続するようにしても良い。
【００４７】
ところで、本実施の形態に係る接点シート１００は、回路基板５０２に対してシールドシート１０２の粘着層１１５で貼り付けて固定される。また、接点シート１００の下面側から可動接点１０３が露出した状態される。このため、本実施の形態に係る接点シート１００は、シールドシート１０２の粘着層１１５及び可動接点１０３を保護する保護シートに貼り付けて取り扱われる。
【００４８】
以下、本実施の形態に係る接点シート１００を取り扱う際の形態について図６及び図７を用いて説明する。図６及び図７は、本実施の形態に係る接点シート１００が保護シートに貼り付けられた状態について説明するための断面図及び上面図である。
【００４９】
図６及び図７に示すように、本実施の形態に係る接点シート１００は、第１の保護シート６０１上に貼り付けられると共に、この第１の保護シート６０１を含む接点シート１００が第２の保護シート６０２に貼り付けられた状態で取り扱われる。第１の保護シート６０１は一方の面が剥離コートされ、この剥離コート面がシールドシート１０２の粘着層１１３を剥離可能に覆って保護するためのものである。一方、第２の保護シート６０２は、ＥＬシート１０１の下面に保持される可動接点１０３を保護するためのものであり、第１の保護シートの他方の面に粘着保持されて取り付けられ、入力装置への組込み時に第１と第２の保護シートとを一体的に剥離して、粘着層１１３と可動接点１０３を露出させて取り付けることが可能となっている。
【００５０】
このように第１の保護シート６０１によりシールドシート１０２の粘着層１１３が保護されることで、入力装置等の回路基板５０２に確実に貼り付く粘着力を粘着層１１３に付与することが可能となる。また、第２の保護シート６０２により可動接点１０３を保護することで、可動接点１０３と固定接点１０５との接触不良の発生を防止することが可能となる。
【００５１】
以上説明したように、本実施の形態に係る接点シート１００においては、一方の面に操作者の押圧操作に応じて移動する可動接点１０３が取り付けられたＥＬシート１０１と、導電性材料からなるシールド層１０２を有するシールドシート１０２と、を具備し、当該シールドシート１０２を、可動接点１０３側の面から当該可動接点１０３の移動を妨げない位置に重ね合わせている。
【００５２】
本実施の形態に係る接点シート１００によれば、ＥＬシート１０１の発光に伴って生ずる電磁波ノイズの外部への影響を低減するシールド層１１３をＥＬシート１０１に重ね合わされるシールドシート１０２に設けたことから、当該電磁波ノイズの外部への影響を低減するシールド層をＥＬシート１０１内に設ける必要がなくなる。このため、ＥＬシート１０１を薄く構成することができるので、電磁波ノイズの影響を低減しつつ、操作者に良好な操作感触を与えることが可能となる。なお、この場合において、シールドシート１０２は、可動接点１０３側の移動を妨げない位置に配置されているので、操作者の押圧操作の操作感触に影響を与えることはない。
【００５３】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【図面の簡単な説明】
【００５４】
【図１】本発明の一実施の形態に係る接点シートの構成を説明するための断面図である。
【図２】上記実施の形態に係る接点シートが有するＥＬシートの上面図である。
【図３】上記実施の形態に係る接点シートが有するシールドシートの上面図である。
【図４】上記実施の形態に係る接点シートの上面図（図４（ａ））及び下面図（図４（ｂ））である。
【図５】上記実施の形態に係る接点シートを適用した入力装置の構成を説明するための断面図である。
【図６】上記実施の形態に係る接点シートが保護シートに貼り付けられた状態について説明するための断面図である。
【図７】上記実施の形態に係る接点シートが保護シートに貼り付けられた状態について説明するための上面図である。
【図８】従来の接点シート構成を説明するための断面図である。
【符号の説明】
【００５５】
１００  照光機能付き接点シート（接点シート）
１０１  ＥＬシート
１０２  シールドシート
１０３  可動接点
１０５  固定接点
１０７  上部電極
１１０  下部電極
１１３  シールド層
【図１】
2007234539.tif 000003
【図２】
2007234539.tif 000004
【図３】
2007234539.tif 000005
【図４】
2007234539.tif 000006
【図５】
2007234539.tif 000007
【図６】
2007234539.tif 000008
【図７】
2007234539.tif 000009
【図８】
2007234539.tif 000010